(57)【特許請求の範囲】
【請求項１】
サーフィン用具を対象とするフィンプラグ体であって、
外周部、上面および下面を有する平坦な上部部分と、この上面の少なくとも一つの開口から内側に延長するサーフィン用具フィンの基部要素を受け取る少なくとも一つのフィンキャビティーと、前記下面から延長し、かつ前記の少なくとも一つのフィンキャビティーを取り囲む基部とを有するフィンプラグであって、前記フィンプラグの平坦な上部部分が、前記の少なくとも一つの開口から前記外周部まで横方向に延長するフランジを有するフィンプラグ、及び、
上面と、下面と、この上面から下面まで延長するフィンプラグキャビティーと、前記の平坦な上部部分の外周部の形状と等価な形状の外周部とを有する発泡体であって、該発泡体の前記上面と下面との間に延長し該発泡体の前記外周部に沿うように連続する連続側壁を有し、密度が少なくとも７０ｋｇ／ｍ３の発泡体、を有し、
前記フィンプラグキャビティー内に前記のフィンプラグの基部を設け、そして前記フィンプラグを前記発泡体に固着し、前記発泡体の連続側壁および前記フィンプラグの平坦な上部部分の外周部を上下に整列配置したことを特徴とするフィンプラグ体。
【請求項２】
前記フィンプラグが、サーフィン用具フィンの２つの基部要素を受け取る２つのフィンキャビティーを有し、これらフィンキャビティーを、上面の２つの開口から内向きに延長した請求項１に記載のフィンプラグ体。
【請求項３】
前記２つの開口間においてよりも開口周囲において前記フランジを広く設定した請求項２に記載のフィンプラグ体。
【請求項４】
前記フィンプラグが、さらに、前記サーフィン用具フィンの基部要素を前記の少なくとも一つのキャビティー内に着脱自在に固定する固定手段を有する請求項１〜３のいずれか１項に記載のフィンプラグ体。
【請求項５】
前記フィンプラグの基部部分が、さらに、外面に少なくとも一つのリブ形成部分を有し、これによって液体接着剤との係合を強化する請求項１〜３のいずれか１項に記載のフィンプラグ体。
【請求項６】
前記フィンプラグが、さらに、前記の少なくとも一つのフィンキャビティーに蓋をする少なくとも一つのキャップを有する請求項１〜３のいずれか１項に記載のフィンプラグ体。
【請求項７】
前記フィンプラグが、さらに、前記の平坦な上部部分の上面から上向きに延長し、前記の少なくとも一つの開口の周囲に設けられる少なくとも一つの傾斜部分を有する請求項１〜３のいずれか１項に記載のフィンプラグ体。
【請求項８】
前記発泡体が、ポリウレタン、ＥＰＳ、ＰＶＣまたはＰＥＴ発泡体から構成された請求項１〜３のいずれか１項に記載のフィンプラグ体。
【請求項９】
前記フィンプラグがプラスチックから構成された請求項１または８に記載のフィンプラグ体。
【請求項１０】
外周部、上面および下面を有する平坦な上部部分と、この上面の少なくとも一つの開口から内側に延長するサーフィン用具フィンの基部要素を受け取る少なくとも一つのフィンキャビティーと、前記下面から延長し、かつ前記の少なくとも一つのフィンキャビティーを取り囲む基部とを有するフィンプラグであって、前記フィンプラグの平坦な上部部分が、前記少なくとも一つの開口から前記外周部まで横方向に延長するフランジを有するフィンプラグ、及び、
上面と、下面と、この上面から下面まで延長するフィンプラグキャビティーと、前記の平坦な上部部分の外周部の形状と等価な形状の外周部とを有する発泡体であって、該発泡体の前記上面と下面との間に延長し該発泡体の前記外周部に沿うように連続する連続側壁を有し、密度が少なくとも７０ｋｇ／ｍ３の発泡体、を有し、
前記フィンプラグキャビティーに前記のフィンプラグの基部を受け取り、そして前記フィンプラグと前記発泡体を相互に固着し、前記発泡体の前記連続側壁および前記フィンプラグの前記平坦な上部部分の外周部が上下に整列配置するように構成したことを特徴とするフィンプラグ体キット。
【請求項１１】
前記フィンプラグの平坦な上部部分が、前記の少なくとも一つの開口から前記外周部まで横方向に延長するフランジを有する請求項１０に記載のフィンプラグ体キット。
【請求項１２】
前記フィンプラグが、さらに、サーフィン用具フィンの前記基部要素を前記の少なくとも一つのキャビティー内に着脱自在に固定する固定手段を有する請求項１０に記載のフィンプラグ体キット。
【請求項１３】
前記フィンプラグの前記基部部分が、さらに、外面に少なくとも一つのリブ形成部分を有し、これによって液体接着剤との係合を強化する請求項１０に記載のフィンプラグ体キット。
【請求項１４】
前記フィンプラグが、さらに、前記平坦な上部部分の前記上面から上向きに延長し、前記の少なくとも一つの開口の周囲に設けられる少なくとも一つの傾斜部分を有する請求項１０に記載のフィンプラグ体キット。
【請求項１５】
前記発泡体が、ポリウレタン、ＥＰＳ、ＰＶＣまたはＰＥＴ発泡体から構成された請求項１０〜１４のいずれか１項に記載のフィンプラグ体キット。
【請求項１６】
前記フィンプラグがプラスチックから構成された請求項１０または１５に記載のフィンプラグ体キット。
【請求項１７】
請求項１〜９のいずれか１項に記載の前記フィンプラグ体をサーフィン用具本体に装着する方法であって、
形状が前記発泡体の前記外周部に沿うように連続する連続側壁と同じであるキャビティーを、サーフィン用具フィンを装着すべき、サーフィン用具本体下側の所定位置に形成する工程、
前記キャビティー内に接着剤を塗布する工程、および
前記キャビティー内に前記フィンプラグ体を挿入する工程を有する装着方法。
【請求項１８】
前記フィンプラグ体を前記キャビティー内に挿入したときに、前記フィンプラグの前記平坦な上部部分の前記上面が、前記サーフィン用具本体の下側の隣接面と同じ高さになるように、前記キャビティーの深さを設定する請求項１７に記載の方法。
【請求項１９】
前記キャビティーを形成する工程において、前記サーフィン用具本体の下側に設けたテンプレート使用し、このテンプレートに成形孔を形成し、そしてこの成形孔の形状を、前記フィンプラグの前記平坦な上部部分の前記外周部と同じ形状に設定する請求項１７または１８に記載の方法。
【請求項２０】
前記サーフィン用具本体が、３０〜５０ｋｇ／ｍ３の密度であり、ポリウレタン、ＰＶＣまたはＥＰＳ発泡体から構成された請求項１７〜１９のいずれか１項に記載の方法。
【請求項２１】
請求項１０〜１６のいずれか１項に記載の前記キットの前記フィンプラグおよび発泡体を装着する方法であって、
形状が前記発泡体の前記外周部に沿うように連続する連続側壁と同じであるキャビティーを、サーフィン用具フィンを装着すべき、サーフィン用具本体下側の所定位置に形成する工程、
前記発泡体の前記フィンプラグキャビティー内に接着剤を塗布する工程、
前記フィンプラグの前記基部部分を前記フィンプラグキャビティー内に挿入し、前記平坦な上部部分を前記発泡体の前記上面に着座させて、前記平坦な上部部分の前記外周部を前記発泡体の前記連続側壁と整合位置決めする工程、
前記キャビティー内に接着剤を塗布する工程、および
このキャビティー内に前記発泡体を挿入する工程を有する装着方法。
【請求項２２】
請求項１〜９のいずれか１項に記載の少なくともひとつのフィンプラグ体を内部に装着したサーフィン用具。
【発明の詳細な説明】
【技術分野】
【０００１】
本発明は、サーフボードなどのサーフィン用具に装着するフィンプラグ体に関する。本発明のフィンプラグ体を使用すると、サーフィン用具にフィンを着脱自在に固定できる。本発明は、また、サーフィン用具本体にこのフィンプラグ体を装着する方法にも関する。
【背景技術】
【０００２】
本明細書において、従来技術の記録、行為または項目について言及あるいは議論をする場合、これら言及あるいは議論は、従来技術の記録、行為または項目、あるいはこれらの組み合わせたものが、優先権主張日時点において、
（ｉ）一般的な常識、あるいは
（ｉｉ）本発明が解決対象としている問題を解決する試みに該当することが知られていたことを認めるものではない。
【０００３】
サーフボードを始めとする多くのサーフィン用具の場合、サーフィン用具の方向を調節し、かつサーフィン用具の回転の容易さを調節するために、一つかそれ以上のフィンをサーフィン用具の下面に設けている。サーフィン用具の中には、フィンをサーフィン用具に一体的に形成しているものもある。ところが、近年では、着脱式フィンを有するフィンシステムをサーフィン用具に利用することが主流になってきている。このようなフィンシステムは、移動時にフィンを取り外すことができる、損傷したフィンの取替えが容易である、異なる形状またはスタイルのフィンを選択的に使用できるといった多くの作用効果をもつ。このようなフィンシステムの場合、例えば、フィンプラグをサーフィン用具の下面に埋設する。このフィンプラグは、一般的に、サーフィン用具フィンの基部（または基部要素）を受け取る少なくとも一つのキャビティーを有する。フィンの基部（または基部要素）をフィンプラグの一つかそれ以上のキャビティーに固定することによって、サーフィン用具フィンをサーフィン用具に装着する。この構成を採用した多くのフィンシステムが知られている。
【０００４】
このようなフィンシステムの一つの実例は、Ｆｉｎ  Ｃｏｎｔｒｏｌ  Ｓｙｓｔｅｍｓ  Ｐｔｙ  Ｌｔｄ．を名義人とするＵＳＰ５，４６４，３５９に記載されている。このシステムは、２つの突起状の基部要素（タブ）を有し、各フィンについて、２つのフィンプラグをサーフィン用具の下面に装着する。各フィンプラグは、基部要素の一つを受け取るキャビティーを有する。さらに、各フィンプラグは、基部要素をキャビティー内に固定する手段を有する。
【先行技術文献】
【特許文献】
【０００５】
【特許文献１】ＵＳＰ５，４６４，３５９
【０００６】
他の実例は、一つのフィンプラグからなり、各フィンについて一つのキャビティーを設ける。例えば、このようなフィンシステムは、極めて大きなフィンプラグを有し、ここに、フィンの基部要素を受け取る細長いフィンキャビティーを設ける。また、このようなシステムのフィンプラグは、上部に平坦な部分を有し、そしてこの平坦部分に開口を形成し、この開口からフィンキャビティーが内側に延長するとともに、フランジ断面が、開口を中心として横方向に延長する。このフランジ断面は、特定の幅をもつ。フィンキャビティーを取り囲む本体部分が、上部の平坦部分の下側から下向きに延長する。このようなフィンプラグの形状の場合、一般に、２つのキャビティーを２段階でサーフィン用具の下側に導く必要がある。即ち、第１段階で、フランジ断面の形状に実質的に対応する寸法の、比較的幅が広く、浅いキャビティーを設ける必要がある。この第１キャビティーの深さは、フランジ断面の幅に実質的に対応して設定する。そして、第２段階で、第１キャビティーに、フィンプラグの本体部分を受け取る、幅が狭く、より深いキャビティーを設ける必要がある。多くのサーフィン用具の場合、３つのフィンを装着し、各フィンプラグキャビティーをサーフィン用具に形成するためにこの２段階作業を必要とするため、装着作業にかなりの時間がかかる。
【０００７】
細長いキャビティーを形成した、これら大きなフィンプラグの場合、サーフィン用具への装着時に別な問題も発生する。例えば、これら大きなフィンプラグのうち一つをサーフィン用具の側部フィンに使用する場合、フィンプラグの後部断面を必ずサーフボードの側部レールにごく近接して配置しなければならない。このため、フィンプラグの装着がより難しくなり、サーブボードメーカーによるフィンプラグの装着精度が落ちる可能性もある。また、このようなフィンプラグの大きさおよび形状を原因として、フィンプラグと、これを装着するサーフボードブランク材との間にきわめて大きな伸縮差が発生する。これは、サーフボードのテール部付近での明らかな弱点につながる。このようなフィンプラグの長さを原因として別な問題も発生する。即ち、サーフボードブランク材に導かれるフィンプラグキャビティーの大きさを原因として、サーブボードブランク材上の（フィンのテールエッジの位置を規定する）“シェーパーズドット（ｓｈａｐｅｒｓ  ｄｏｔｓ）”が無くなる問題である。このため、フィンプラグがサーフボードに正しく装着されているかどうかに関して懸念が生じる。
【０００８】
従来公知のフィンプラグには、さらに別な問題もある。即ち、これらが、サーフィン用具を形成する比較的低密度の発泡材で取り囲まれている問題である。一般的に、このような発泡材は、装着されたフィンに加わる力を原因とする、フィンプラグへかかる負荷を支持するのに十分な強度がなく、周りの発泡材が経時的に変形または脆弱化することがある。このような変形あるいは脆弱化が生じると、フィンプラグが発泡材に沈みこむか、あるいは位置ずれが発生し、結果的に、装着されたフィンの性能が低下する。また、フィンプラグ付近のファイバーグラススキンがひび割れ、粉々に砕ける原因にもなる。さらに、フィンプラグが発泡体に沈み込むと、プラグ上面が隣接するファイバーグラスから剥離する原因になる。
【発明の概要】
【発明が解決しようとする課題】
【０００９】
本発明の解決すべき課題は、従来のフィンプラグに見られる上記問題の少なくとも一部を解決し、フィンプラグの装着方法を提供することである。具体的には、本発明は、比較的軽量、強靭である上に、従来の多くの公知フィンプラグよりも装着が簡単なフィンプラグ体を提供することを課題とする。
【課題を解決するための手段】
【００１０】
本発明の第１態様は、サーフィン用具を対象とするフィンプラグ体であって、外周部、上面および下面を有する実質的に平坦な上部部分、この上面の少なくとも一つの開口から内側に延長するサーフィン用具フィンの基部要素を受け取る少なくとも一つのフィンキャビティー、および上記下面から延長し、かつ上記の少なくとも一つのフィンキャビティーを取り囲む基部を有するフィンプラグ、および
上面、下面、この上面から下面まで延長するフィンプラグキャビティー、および上記の平坦な上部部分の外周部と実質的に等価な外周部を有し、そして高密度発泡体の周囲において上記上面と上記下面との間に延長する連続側壁を有する高密度発泡体を有し、
上記フィンプラグキャビティー内に上記フィンプラグの基部を設け、そして上記フィンプラグを上記高密度発泡体に固着したフィンプラグ体を提供するものである。
【００１１】
本発明の第２態様は、
サーフィン用具を対象とするフィンプラグキットであって、外周部、上面および下面を有する実質的に平坦な上部部分、この上面の少なくとも一つの開口から内側に延長するサーフィン用具フィンの基部要素を受け取る少なくとも一つのフィンキャビティー、および上記下面から延長し、かつ上記の少なくとも一つのフィンキャビティーを取り囲む基部を有するフィンプラグ、および
上面、下面、この上面から下面まで延長するフィンプラグキャビティー、および上記の平坦な上部部分の外周部と実質的に等価な外周部を有し、そして高密度発泡体の周囲において上記上面と上記下面との間に延長する連続側壁を有する高密度発泡体を有し、
上記プラグキャビティーに上記フィンプラグの基部を受け取り、そして上記フィンプラグと上記高密度発泡体を相互に固着したフィンプラグキットを提供するものである。
【００１２】
上記フィンプラグ体の作用効果の一つは、高密度発泡体が、フィンプラグを十分に支持できることである。この高密度発泡体は、装着されたフィンに加えられる外部力を介して（各）フィンキャビティーに作用する力を、多くのサーフボードブランク材を構成する（比較的密度の低い）発泡体よりも多く吸収できるか、あるいはこの力に対する緩衝体として働く。高密度発泡体の側壁が、フィンプラグの上部外周部と実質的に同一な形状に設定されていることが好ましい。このように構成すると、フィンプラグの外周部と（フィンプラグを装着する）高密度発泡体の連続側壁が実質的に整列整合するため、以下に説明するように、フィンプラグの上面がサーフィン用具フィンの包囲面と同じ高さになるように一つのキャビティーをサーフィン用具ブランク材に形成することによって、フィンプラグ体をきわめて簡単にサーフィンブランク材に装着できる。また、フィンプラグの平坦な上部部分が、上記の少なくとも一つの開口から外周部に横方向に延長するフランジを有しているのが好ましい。さらに、フィンプラグが、サーフィン用具の２つの基部要素を受け取る２つのフィンキャビティーを有しているのが好ましく、この場合には、これらフィンキャビティーを２つの開口から上面まで内側に延長する。この実施態様では、フランジの幅は、２つの開口間においてよりも開口周囲において広く設定するのが好ましい。この結果、平坦な上部部分が、実質的に砂時計の形（即ち、両端部が広く、中央付近が狭い形）になる。この形状の作用効果の一つは、サーフィン用具本体に形成する（フィンプラグ体を受け取る）キャビティー形成精度がそれ程よくなくても、フィンプラグ体が中心点でわずかに回動できるため、フィンの先端角度を適正に設定でき、かつフィンの後縁を“シェーパーズドット”に正確に位置決めできる。
【００１３】
代表的な実施態様の場合、フィンプラグは、サーフィン用具フィンの基部要素を上記の少なくとも一つのキャビティー内に着脱自在に固着する固着手段を有する。この固着手段としては、ねじ孔およびここにねじ込むグラブねじからなるグラブねじ構成がよく、この構成を採用すれば、サーフィン用具フィンの基部要素に対してグラブねじを選択的に位置決めできる。グラブねじ構成が好ましい理由は、サーフィン用具フィンの基部要素に対して横方向に圧力を作用させることができるからである。
【００１４】
さらに、フィンプラグの基部部分は、外面に少なくとも一つのリブ形成部分を有することができ、これによって硬化性液体樹脂などの液体接着性材料との係合を強化できる。このリブ形成部分により液体樹脂がリブ間に浸透するため、樹脂が硬化したときに、基部部分が周囲のキャビティー内により強く固着されることになる。
【００１５】
プラグの平坦な上部部分は、さらに、フィンプラグの装着時に液体樹脂を受け取る貫通孔を有することができる。（後に所定位置で硬化する）液体樹脂をこれらの孔に浸潤させると、フィンプラグの所定位置への固着の確保がより簡単になる。
【００１６】
さらに、フィンプラグが、上記の少なくとも一つのフィンキャビティーおよびねじ孔に蓋をする少なくとも一つのキャップを有するのが好ましい。この実施態様の場合、フィンプラグが、平坦な上部部分の上面から上向きに延長し、上記の少なくとも一つの開口の周囲に設けられる傾斜部分（ｒａｍｐ）を有するのが好ましい。フィンプラグが２つのフィンキャビティーを有する場合、フィンプラグが２つのキャップを有するのが望ましく、そして各キャップが、フィンキャビティーうちの一つおよび隣接するねじ孔、および各開口周囲の斜面部分に蓋をすることになる。
【００１７】
一般的には、フィンプラグは、強靭でしかも硬いプラスチックで構成し、また高密度発泡体は、ポリウレタン、ＥＰＳ、ＰＶＣまたはＰＥＴ発泡体で構成する。高密度発泡体の密度としては少なくとも７０ｋｇ／ｍ３が好ましい。
【００１８】
本発明の第３態様は、以上説明してきたフィンプラグ体をサーフィン用具本体に装着する方法であって、
全体を通して実質的に均質な形状をもち、そしてこの形状が高密度発泡体の連続側壁と実質的に同じであるキャビティーを、サーフィン用具フィンを装着すべき、サーフィン用具本体下側の所定位置に形成する工程、
上記キャビティー内に接着剤を塗布する工程、および
このキャビティー内にフィンプラグを挿入する工程を有する装着方法を提供するものである。
【００１９】
本発明の第４態様は、以上説明してきたキットのフィンプラグおよび高密度発泡体をサーフィン用具本体内に装着する方法であって、
全体を通して実質的に均質な形状をもち、そしてこの形状が高密度発泡体の連続側壁と実質的に同じであるキャビティーを、サーフィン用具フィンを装着すべき、サーフィン用具本体下側の所定位置に形成する工程、
上記高密度発泡体のフィンプラグキャビティー内に接着剤を塗布する工程、
上記フィンプラグの基部部分をフィンプラグキャビティー内に挿入し、上記の平坦な上部部分を高密度発泡体の上面に着座させて、上記の平坦な上部部分の外周部を高密度発泡体の連続側壁と実質的に整合位置決めする工程、
上記キャビティー内に接着剤を塗布する工程、および
このキャビティー内に高密度発泡体を挿入する工程を有する装着方法を提供するものである。
【００２０】
サーフィン用具下側にキャビティーを形成する場合、フィンプラグ体をキャビティーに挿入したときに、フィンプラグの平坦な上部部分の上面が、サーフィン用具下側の隣接面と実質的に同じ高さになるようにキャビティーの幅を設定することが好ましい。
【００２１】
上記方法で使用する接着材としては、硬化性液体樹脂が好ましい。この硬化性液体樹脂については、フィンプラグの平坦な上部部分の孔に流入できるものが好ましい。さらに、平坦な上部部分と底面と高密度発泡体の上面との間に硬化性液体樹脂を塗布し、フィンプラグの高密度発泡体への接着性をさらに強化することが好ましい。
【００２２】
上記キャビティーを形成する工程で、サーフィン用具本体の下側にテンプレートを設けることが好ましく、このテンプレートに貫通孔を形成し、この貫通孔を、フィンプラグの平坦な上部部分の外周と実質的に同じ形状に構成することが好ましい。
【００２３】
上記方法において使用するサーフィン用具本体には発泡ブランク材を使用するのが好ましい。この発泡体ブランクとしては、ポリウレタン、ＰＶＣまたはＥＰＳ発泡体を利用することができる。発泡体ブランク材の密度は、例えば、３０〜５０ｋｇ／ｍ３に設定する。発泡体ブランク材の好ましい密度は、約４０ｋｇ／ｍ３である。
【００２４】
本発明の第５態様は、上記の少なくとも一つのフィンプラグ体を装着したサーフボードを提供するものである。
【００２５】
以下、本発明の好適な実施態様について、添付図面を参照して説明する。
【図面の簡単な説明】
【００２６】
【図１】本発明によるフィンプラグ体の上から見た展開斜視図である。
【図２】図１に示したフィンプラグ体の展開側面図である。
【図３】図１に示したフィンプラグ体の展開端面図である。
【図４】図１に示したフィンプラグ体のフィンプラグを示す上面図である。
【図５】図４に示したフィンプラグの上から見た斜視図である。
【図６】図１に示したフィンプラグ体の高密度発泡体を示す上面図である。
【図７】図６に示した高密度発泡体を示す、上から見た斜視図である。
【図８】図６に示した高密度発泡体の側面図である。
【発明を実施するための形態】
【００２７】
以下、添付図面を参照して、本発明の好適な実施態様を説明する。
【００２８】
図１、２および３は、本発明の好適な一実施態様によるフィンプラグを示す展開図である。このフィンプラグ体は、フィンプラグ１および高密度発泡体２を有する。このフィンプラグ体１は、外周部１１をもつ平坦な上部部分１０を有する。この上部部分１０は上面１２および下面１３を有する。下面１３から下向きに基部１４が延長する。さらに、フィンプラグ１は、平坦な上部部分１０の上面１２内のフィンキャビティー開口１６から内向きに延長する整列配置された一対のフィンキャビティー１５を有する。
【００２９】
さらに、フィンプラグ１は、ねじを刻んだねじ孔１７を有し、このねじ孔１７は、各フィンキャビティー開口１６に隣接して上面１２に開口を有する。各ねじ孔１７は、隣接フィンキャビティー１５に連絡し、グラブねじ（図示省略）を受け取る。このグラブねじは、ねじ孔１７にねじ込まれ、少なくとも部分的にフィンキャビティー１５内に進み、フィンの基部を固定する。
【００３０】
各フィンキャビティー開口１６および隣接ねじ孔１７の周囲に傾斜部分４を設ける。傾斜部分４の目的は、フィンプラグ体の装着後、サーフィン用具の完成を容易にすることである。一旦フィンプラグ体を装着すると、ファイバーグラスおよび樹脂が成形発泡体ブランク材の外面を覆う。ファイバーグラスおよび樹脂は、（フィンキャビティーおよびねじ孔に蓋をするキャップとともに）フィンプラグを被覆できる。傾斜部分（およびキャップ）があるため、わずかな凸部がファイバーグラス製サーフィン用具の下面に発生する。これら凸部は、サーフィン用具の下面と同じ高さになるように砂で磨き落とすことができる。
【００３１】
平坦な上部部分１０は、さらに、フィンキャビティー開口１６から外周部１１まで横方向に延長するフランジ３を有する。このフランジ３は、フィンキャビティー開口１６を取り囲む領域で広くなっている。これは、装着フィンに加わる外力からフィンに作用する力が、（フィンの基部要素を受け取る）フィンキャビティー開口１６周囲で最大になるからである。即ち、これら領域に広いフランジを設けると、広い範囲にこれら力を拡散することができ、これによって隣接する高密度発泡体２が変形する可能性を最小限に抑えることができる。
【００３２】
図１および２に示すように、基部１４の外面にはリブ形成部分１８を設ける。これらリブ形成部分１８により、リブ間に硬化性液体樹脂を浸透させることによって、フィンプラグ１の高密度発泡体２への接着性をより強くできる。
【００３３】
図４からよりよく理解できるように、フィンプラグ１の平坦な上部部分１０は、貫通孔１９を有する。これら貫通孔１９によって、硬化性液体樹脂が、装着時に、浸透しやすくなり、フィンプラグ１の高密度発泡体２の接着および機械的接合がより強くなる。
【００３４】
高密度発泡体２は、上面２０を有し、この上面２０にフィンプラグキャビティー２１を形成する。このフィンプラグキャビティー２１が、フィンプラグ１の基部１４を受け取る。フィンプラグの平坦な上部部分１０の下面１３が、高密度発泡体２の上面２０に着座し、これに固定される。さらに、高密度発泡体２は、連続側壁２２を有し、図示のように、この側壁は、フィンプラグ１の平坦な上部部分１０の外周部１１と同じ形状をもつ。即ち、同じ形状に構成しているため、この連続側壁２２が、フィンプラグ１を高密度発泡体２に装着したときに、平坦な上部部分１０の外周部１１に位置決めされ、これから下向きに延長することになる。
【００３５】
当業者ならば、本発明の変更あるいは改良は、容易に実現できるはずである。これら変更あるいは改良は、いずれも本発明の範囲内に含まれるものである。
【図１】
0005583013.tif 000002
【図２】
0005583013.tif 000003
【図３】
0005583013.tif 000004
【図４】
0005583013.tif 000005
【図５】
0005583013.tif 000006
【図６】
0005583013.tif 000007
【図７】
0005583013.tif 000008
【図８】
0005583013.tif 000009